(57)【特許請求の範囲】
【請求項１】
中空の芯管の周囲に記録シートを巻き付けたロール状記録媒体を搭載する画像記録装置であって、
前記芯管の内径よりも細く形成された軸部材と、
切り欠きを有して前記軸部材に略直交方向より取り付け得ると共に前記芯管内に挿入しうる第一固定部材と、
切り欠きを有して前記軸部材に略直交方向より取り付け得ると共に前記第一固定部材内に挿入しうる第二固定部材とを有し、
前記第一固定部材にて前記芯管を固定すると共に、前記第二固定部材にて前記第一固定部材と前記軸部材とを固定するよう構成したことを特徴とする画像記録装置。
【請求項２】
前記第一固定部材に弾性を有し前記芯管を固定する芯管固定部を設けると共に、前記第二固定部材に前記芯管固定部を前記芯管に向かって押圧する押圧手段を設け、前記第一固定部材と第二固定部材とを相対的に回動させることにより前記押圧手段が前記芯管固定部を押圧するよう構成したことを特徴とする請求項１記載の画像記録装置。
【請求項３】
前記第一固定部材の芯管固定部とは回動方向に延長され先端に凸部を有し且つ該第一固定部材の内径よりも小さな曲率を以て形成されたものであり、前記押圧手段とは前記第二固定部材の外周面に設けられた突起であって、前記第一固定部材と前記第二固定部材とを相対的に回動させて前記押圧手段が前記芯管固定部の先端に近づくことにより該押圧手段が前記芯管固定部の内周面に当接してこれを外周方向へ押圧するよう構成したことを特徴とする請求項２記載の画像形成装置。
【請求項４】
前記第二固定部材には高さの異なる複数の前記押圧手段を設け、前記第一固定部材と第二固定部材との相対的な回動角により前記芯管固定部を押す高さが異なるよう構成したことを特徴とする請求項２乃至請求項３記載の画像記録装置。
【請求項５】
前記第一固定部材または前記第二固定部材の何れかに凸部を設け、これに対応する穴部を前記軸部材に設けて互いに嵌合させることにより、前記第一固定部材または前記第二固定部材を前記軸部材に回動不能に取り付け得るよう構成したことを特徴とする請求項２乃至請求項４記載の画像形成装置。
【請求項６】
前記第一固定部材に前記第二固定部材を挿入する際に相対的な回動を規制すると共に所定量挿入した位置にて規制を解除する回動規制手段と、前記回動規制手段が解除された位置で回動方向を規制する回動方向規制手段と、前記第一固定部材及び前記第二固定部材の外面に設けられ回動角を表示する回動角指示手段とを有することを特徴とする請求項１乃至請求項５記載の画像記録装置。
【発明の詳細な説明】
【０００１】
【発明の属する技術分野】
本発明はロールシートを装着して画像を記録する使用するプリンタ、複写機等の画像記録装置に関するものであって、特にロールシートの固定方法に関するものである。
【０００２】
【従来の技術】
画像記録装置においては、画像を記録される紙等の記録シートを連続的に給送する必要がある。その手段として、所定のサイズに切断されたカットシートを積載して分離給送する構成と、所定幅且つ任意の長さの帯状の記録シートを芯管にロール状に巻き付けたロール状記録媒体（以下単にロールシートという）を装着して画像記録時に所定の長さに切断する構成とがある。
【０００３】
従来の画像記録装置において装着されるロールシート、及びロールシートを回転可能に支持するロール支持手段の例を図を用いて説明する。図１２はロール支持手段の構成を示す図、図１３はロール支持手段をロールシートの一端に装着する状態を説明する図、図１４はロールシートの他端にロール支持手段を装着する状態を説明する図である。
【０００４】
図１２（ａ）  に示すように、ロールシート１００  は中空の芯管１０１  の周囲に記録シート１０２  を巻き付けて構成されている。このロールシート１００  を両端にて回転可能に支持するために、図１２（ｂ）  に示すロール支持手段１０３  が取り付けられる。ロール支持手段１０３  は軸部材１０４  と、該軸部材１０４  に一体に取り付けられた基準側固定部材１０５  と、基準側固定部材１０５  の反対側に取り付けられる固定部材１０９  とから構成されている。軸部材１０４  は両端部１０８  において図示しない画像記録装置本体に回転可能に支持される。
【０００５】
基準側固定部材１０５  及び図１２（ｃ）  に示す固定部材１０９  は、ロールシート１００  側に芯管１０１  に圧入する凸部１０６  を設けている。凸部１０６  の傾斜面１０７  はロールシート１００  に向かって径が小さくなる傾斜面に形成され、ロールシート１００  側端部１０６ａを芯管１０１  の内径よりも小さい径に、軸部材１０４  端部側を芯管１０１  の内径よりも大きい径に形成している。
【０００６】
また固定部材１０５  は中心部１１１  から外部へ通じるスリット１１０  を設け、断面略Ｃ字形に形成されている。中心部の内径１１１  ａは軸部材１０４  の外形よりも小さく形成されており、スリット１１０  が広がることにより軸部材１０４  に圧入可能であり、また軸部材１０４  を挟持により固定することができる。
【０００７】
このロール支持手段１０３  にロールシート１００  を固定する場合には、図１３（ａ）  に示すようにロールシート１００  内に軸部材１０４  の一端を通し、基準側固定部材１０５  の凸部１０６  をロールシート１００  に挿入する。すると図１３（ｂ）  に示すように傾斜面１０７  が途中から芯管１０１  の内面に食い込み、芯管１０１  端部が基準側固定部材１０５  の端面１０５ａに当接するか、または作業者が押し込むのを止めた時点でロールシート１００  の一端が固定される。
【０００８】
次に図１４（ａ）  に示すように軸部材１０４  の他端から固定部材１０９  を通すと、固定部材１０９  はスリット１１０  が広がることにより摩擦抵抗を受けながら摺動する。そして図１４（ｂ）  に示すように固定部材１０９  の凸部１０６  が芯管１０１  に食い込むことにより、ロールシート１００  の両端を固定することができる。
【０００９】
【発明が解決しようとする課題】
しかし、上記の如く構成された従来の画像記録装置に於いては、固定部材１０９  を軸部材１０４  端部から通す必要がある。すると軸部材１０４  端部にロールシート１００  にバックテンションを与えるためのブレーキディスクを配置する場合、その外径を固定部材内径より小さくしなければならないという制約があった。
【００１０】
また上記構成では芯管１０１  の内径寸法のばらつきにより固定部材１０９  の押し込み量が変化する。すると芯管１０１  の内径が小さめであった場合、固定部材１０９  の押し込み量が小さいために軸部材１０４  に対する締付力が弱くなり、軸部材１０４  の回転その他による振動によって固定部材１０５  が軸方向にずれてしまう場合があった。
【００１１】
また作業者によって圧入程度に差が生じ、その強弱によりロールシート１００  端部の位置が変わるため、画像記録開始位置に変化が生じて余白が大きくなったり小さくなったりする場合があった。このため画像記録装置本体にシート端検出手段を設ける必要があった。
【００１２】
同様に圧入程度に差が生じることから固定部材１０９  の軸部材１０４  に対する締付力にも差が生じ、これが弱い場合には画像記録装置の動作中に固定部材１０９  がはずれてしまったり、逆に強すぎる場合にはロールシート１００  交換の際に固定部材１０９  の取り外しが困難となってしまう。
【００１３】
本発明は、固定部材を軸端部を通さずに取り付け可能とし、且つロールシートの芯管内径のばらつきに対しロール支持手段の軸部材と固定部材及び芯管と固定部材間の保持力を安定させた画像記録装置を提供することを目的としている。
【００１４】
【課題を解決するための手段】
上記課題を解決するために、本発明に係る画像記録装置は、中空の芯管の周囲に記録シートを巻き付けたロール状記録媒体を搭載する画像記録装置であって、前記芯管の内径よりも細く形成された軸部材と、切り欠きを有して前記軸部材に略直交方向より取り付け得ると共に前記芯管内に挿入しうる第一固定部材と、切り欠きを有して前記軸部材に略直交方向より取り付け得ると共に前記第一固定部材内に挿入しうる第二固定部材とを有し、前記第一固定部材にて前記芯管を固定すると共に、前記第二固定部材にて前記第一固定部材と前記軸部材とを固定するよう構成したことを特徴とする。
【００１５】
【発明の実施の形態】
［第一実施形態］
本発明に係る画像記録装置の第一実施形態をインクジェットプリンタを例にとって図を用いて説明する。図１は本発明に係る画像記録装置の概略構成を示す側面図、図２は軸部材の側面図、図３はロール固定部材の部品図、図４は軸固定部材の部品図、図５は軸部材基準側へのロール固定部材の取付説明図、図６は軸固定部材の取付説明図、図７はロール固定部材及び軸固定部材の作用説明図、図８は軸部材他端側へのロール固定部材の取付説明図である。
【００１６】
画像記録装置本体１下部には二つのロールシート６、７を支持するロールシートユニット４が配置されている。ロールシート６、７はそれぞれ芯管６ａ、７ａの周囲に記録シート６ｂ、７ｂを巻き付けて構成されたロール状記録媒体である。ロールシート６、７両端の芯管部分にはロール支持手段１０が取り付けられ、ロールシートユニット４の側板３に形成されたＵ欠き部５に回転自在に保持されている。
【００１７】
またロールシートユニット４の上部には給送ローラ対８、９が備えられており、ロールシート６、７から引き出されたシート先端６ｃ、７ｃを挟持搬送する。シート先端６ｃ、７ｃはガイド板１１と１２の間、又はガイド板１３、１４の間を進行して副走査ローラ１５により更に搬送され、プラテン１６上で記録ヘッド１７により画像を記録される。
【００１８】
画像記録装置本体１の側面には扉２が設けられており、これを破線２ａにて示すように解放可能に構成されている。ロールシートユニット４は側板３に図示しないスライドレール等を設けており、破線４ａに示すように引き出すことができる。この状態に於いてロールシート６、７をロールシートユニット４から着脱することができる。
【００１９】
次に、ロール支持手段１０について説明する。ロール支持手段１０は、軸部材１８、第一固定部材であるロール固定部材２４、第二固定部材である軸固定部材３３から構成されている。本実施形態に於いてはロールシートの設置位置が幅中心基準の場合について説明する。
【００２０】
図２に示すように、軸部材１８の両端には、芯管６ａ、７ａの内径よりも小さい外径に形成されたブレーキディスク１９が取り付けられている。画像記録装置本体１にロールシート６、７をセットした際には、このブレーキディスク１９が画像記録装置本体１に設けられた図示しないブレーキと当接して、ロールシートが給送される際に摩擦負荷を発生し、ロールシートに給送方向と反対方向の負荷を与えて斜行を防いでいる。また軸部材１８の両端近傍に軸受２０が形成され、側板３のＵ欠き部５に回転可能に支持される。
【００２１】
軸部材１８の一方の端には軸方向に長い穴部２１ａ、２１ｂ、２１ｃが形成されており、他端にも同様に穴部２２ａ、２２ｂ、２２ｃが形成されている。これらの穴部は後述するロール固定部材２４を係止させるために設けられており、本実施形態に於いては両側に３つずつ設けて示しているが、これを増やすことにより多くの種類のロールシートを固定することができる。
【００２２】
図３はロール固定部材２４の部品図であって、図３（ａ）は正面図、図３（ｂ）は側面図、図３（ｃ）は図３（ａ）のＡ−Ａ  断面図である。ロール固定部材２４は略円柱形をしており、芯管６ａ、７ａの内径よりもわずかに小さな径を有する挿入部２６と、それより大きな径を有するストッパー部２７とから構成されている。ストッパー部２７の外周面には、回動角指示手段である指標突起３２が形成されている。
【００２３】
ロール固定部材２４には軸部材１８の直径よりわずかに大きい幅の切り欠き２５が形成されており、外周部から中心に到達して断面略馬蹄形となっている。また挿入部２６の端部側の略半分は弾性を有する芯管固定部３１が形成され、その先端に係止爪３１ａが形成されている。芯管固定部３１はロール固定部材２４の内周面よりも小さな曲率を以て形成されており、先端の係止爪３１ａ近傍は内側に入り込むように支持されている。
【００２４】
ロール固定部材２４の内部且つ切り欠き２５に対向する位置には凸部２８が設けられており、ロール固定部材２４を上記穴部２１ａ〜２１ｃ、２２ａ〜２２ｃに挿入しうるよう構成されている。またロール固定部材２４内部且つ指標突起３２に対応する位置には後述する軸固定部材３３の押圧手段である押圧突起３４を挿入する挿入溝３０が形成されており、該挿入溝３０近傍に軸固定部材３３の逆回転を防止するための凸部２９が設けられている。
【００２５】
図４は軸固定部材３３であって、図４（ａ）は正面図、図４（ｂ）は側面図である。軸固定部材３３はロール固定部材２４に挿入しうる挿入部３５と、ストッパー３６とから構成されている。挿入部３５の先端両側には押圧突起３４が形成されており、ロール固定部材２４の挿入溝３０に挿入しうるよう構成している。またストッパー３６の外周面且つ押圧突起３４に対応する位置には、回動角指示手段である指標突起３７が設けられている。
【００２６】
軸固定部材３３は軸部材１８の直径よりわずかに大きい幅の切り欠き３９を形成し、軸部材１８に嵌合しうるよう構成している。また中心部から外周部に向かってスリット３８を形成し、挿入部３５が弾性を有するよう構成している。
【００２７】
次に、軸部材１８にロールシート６を取り付ける手順について説明する。なお、ロールシート７についても同様である。まず図５（ａ）に示すように、軸部材１８の穴部２１ａに凸部２８を挿入させつつロール固定部材２４を取り付ける。ここで穴部２１ａ〜２１ｃの幅２１は同一であり、凸部２８と略同等に形成されている。
【００２８】
そして図５（ｂ）に示すようにロールシート６の芯管６ａに軸部材１８を挿入し、芯管６ａが挿入部２６にかぶさってストッパー部２７にて停止するまで差し込む。このとき、芯管６ａ内周面と挿入部２６外周面とは隙間４０を有しており、まだロールシート６は固定されていない。
【００２９】
次に図６に示すように、軸固定部材３３を軸部材１８に嵌合させ、軸固定部材３３の押圧突起３４をロール固定部材２４の指標突起３２にあわせながら、ロール固定部材２４内に挿入する。このとき押圧突起３４が挿入溝３０内に位置している間は回動不能であり、ストッパー３６がロール固定部材２４に当接するまで挿入すると、押圧突起３４が挿入溝３０を通過し、芯管固定部３１の内側に位置することとなる。すなわち挿入溝３０は回動規制手段を形成している。
【００３０】
図６におけるＢ−Ｂ  断面図を図７に示す。図７（ａ）は上記挿入した状態を表し、この状態に於いてはまだロールシート６とロール固定部材２４の挿入部２６とは固定されていない。なお、挿入溝３０及び押圧突起３４の位置３０ａを軸部材１８の軸中心４１とずらして形成することにより、軸固定部材３３を逆向きに取り付けることを防止している。
【００３１】
そして図７（ｂ）に示すようにこの状態から軸固定部材３３を回転させると、押圧突起３４が芯管固定部３１の先端内側を押圧し、係止爪３１ａを芯管６ａ内面に食い込ませる。このとき係止爪３１ａからの反力により軸固定部材３３の押圧突起３４付近が弾性変形し、軸部材１８を締め付ける力が発生する。ここで、軸固定部材３３の押圧突起３４にロール固定部材２４の回動方向規制手段である凸部２９が当接しているため、軸固定部材３３が逆回転することはなく、軸固定部材３３は凸部２８に当接して停止する。このようにして、ロールシート６の一端が固定される。
【００３２】
次に図８（ａ）の矢印４２に示すように軸部材１８他端の穴部２２ａに凸部２８を挿入させつつロール固定部材２４を取り付け、矢印４３に示すようにロール固定部材２４をずらして芯管６ａ内に挿入部２６を挿入させる。すなわち穴部２２ａ〜２２ｃの幅２３は同一であり、穴部２１ａ〜２１ｃの幅２１よりも広く形成されている。この状態において、まだロール固定部材２４の挿入部２６は芯管６ａ内部に固定されていない。
【００３３】
そして上記したと同様、軸固定部材３３を軸部材１８に嵌合させ、軸固定部材３３の押圧突起３４を指標突起３２にあわせながらロール固定部材２４内に挿入する。更に軸固定部材３３を回転させれば芯管固定部３１の先端である係止爪３１ａが芯管６ａに食い込み、またその反力により軸固定部材３３の押圧突起３４付近が弾性変形し、軸部材１８を固定する。これによりロールシート６の両端を軸部材１８に固定することができる。
【００３４】
またロールシート６を取り外す際には、軸固定部材３３を、ロール固定部材２４外周の指標突起３２と軸固定部材３３外周の指標突起３７とが一致する位置になるまで回転させればよい。これにより挿入溝３０と押圧突起３４とが一致し、芯管固定部３１による芯管６ａの固定が解除されると共に、軸固定部材３３を引き抜くことができる。このように指標突起３２、指標突起３７を設けたことにより、作業者はロール固定部材２４と軸固定部材３３との位置関係を容易に把握することができる。
【００３５】
上記のごとく構成したことにより、ロール固定部材２４、軸固定部材３３共に軸部材１８の端部を通過させる必要がないため、軸部材１８の端部はロールシート６の芯管６ａが通る径であれば良い。従って軸部材１８両端のブレーキディスク１９を大きな径にて形成することができる。
【００３６】
〔第二実施例〕
上記第一実施形態においては芯管固定部３１、軸固定部材３３の押圧突起３４はいずれも二つずつ設けて示したが、本発明はこれに限定するものではない。図９（ａ）に示すロール固定部材４４は芯管固定部３１を軸方向に二つ連続させて設けた例であり、第一実施形態と説明の重複する部分については、同一の符号を伏して説明を省略する。
【００３７】
また図９（ｂ）に示すロール固定部材４５は、芯管固定部３１と円周方向に更に芯管固定部４６を設けている。またこれに対応して軸固定部材４７には押圧突起４８を設けており、軸固定部材４７を回転させた際には係止爪３１ａ、４６ａによって芯管６ａ、７ａを固定するよう構成している。これらのように構成することにより、ロールシート６、７を更に強固に固定することができる。
【００３８】
［第三実施形態］
また上記第一及び第二実施形態に於いては、軸固定部材３３、４７の押圧突起３４、４８は単一の高さにて構成して示した。しかし図１０（ｂ）  に示す軸固定部材５１のように、高さの異なる複数の押圧突起５２ａ、５２ｂを設けることでもよい。また図１０（ａ）  に示すロール固定部材４９には、これに対応した複数の挿入溝５０ａ、５０ｂを形成されている。ここで軸固定部材５１の回転方向前方側にある押圧突起５２ａは、後方側の押圧突起５２ｂよりも低い高さに形成されている。
【００３９】
このように形成することにより、軸固定部材４７の回転角度により芯管固定部３１端部の係止爪３１ａの移動量が変化することとなる。すなわち押圧突起５２ａが芯管固定部３１を押圧しているときは係止爪３１ａの移動量が小さく、押圧突起５２ｂが芯管固定部３１を押圧しているときは係止爪３１ａの移動量が大きい。従って芯管６ａ、７ａの内径のばらつきに対応することができ、安定した保持力で支持することができる。
【００４０】
［第四実施形態］
また上記実施形態に於いてはロールシート６、７のセット位置が軸部材１８中心だったため、軸部材１８の両側に穴部２１ａ〜２１ｃ、２２ａ〜２２ｃを形成して示した。しかし軸部材１８の片側を基準とする場合、基準側のロール固定部材２４を移動させる必要がない。そこで図１１に示す軸５３には基準側に穴部を形成せずに、ロール固定部材２４を図示しないネジ等により固定して取り付けている。
【００４１】
従って軸５３には基準側の反対側だけにロールシート６、７に対応する穴部５４ａ〜５４ｃを形成すればよい。なお穴部５４ａ〜５４ｃの幅は、上記実施形態と同様、ロール固定部材２４をロールシート６、７の外側にて嵌合し芯管６ａ、７ａ内に挿入しうる幅に形成している。
【００４２】
［他の実施形態］
なお、上記実施形態に於いては軸固定部材３３の切り欠き３９の幅を軸部材１８の径よりもわずかに大きく形成して示したが、略等しい幅に形成して軽く圧入するよう構成してもよい。これにより軸固定部材３３を回転させた場合に、芯管固定部３１からの反力により軸部材１８を早期且つ確実に締め付けることができる。
【００４３】
また、上記実施形態に於いてはロール固定部材２４に凸部２８を設けて軸部材１８に対し回転不能に構成して示したが、軸固定部材３３に凸部を設けて軸部材１８に回動不能に取り付け、ロール固定部材２４を回動可能とすることでもよい。またいずれも回転可能とし、軸固定部材３３を回転させる際にロール固定部材２４の外周を押える若しくは逆回転させることでも同様の効果を得ることができる。
【００４４】
【発明の効果】
上記の如く構成したことにより、本発明に係る画像記録装置は、ロール固定部材、軸固定部材共に軸の中途部から取り付ける構成となっているため、軸端部を通過させる必要がなく、軸両端のブレーキディスクを大きな径にて形成することができる。
【００４５】
また高さの異なる複数の押圧手段を設けることにより、芯管の内径寸法にばらつきがあっても一定の締結力によって固定することができる。従ってロール状記録媒体が軸の長手方向にずれたり、外れたりする虞がない。
【００４６】
またロール状記録媒体を取り付ける際の力に関わらず、常に端部位置を一定にすることができるため、画像記録装置本体にシート端検出手段を設ける必要なく余白を一定にさせることができる。
【００４７】
また芯管内径や作業者が異なっても一定の締結力によって固定することができることから、ロール状記録媒体が装置の動作中に外れてしまったり、交換の際に取り外しが困難となることもない。
【図面の簡単な説明】
【図１】第一実施形態に係る画像記録装置の概略構成を示す側面図である。
【図２】軸部材の側面図である。
【図３】ロール固定部材の部品図である。
【図４】軸固定部材の部品図である。
【図５】軸部材基準側へのロール固定部材の取付説明図である。
【図６】軸固定部材の取付説明図である。
【図７】ロール固定部材及び軸固定部材の作用説明図である。
【図８】軸部材他端側へのロール固定部材の取付説明図である。
【図９】第二実施形態に係るロール固定部材及び軸固定部材を示す図である。
【図１０】第三実施形態に係るロール固定部材及び軸固定部材を示す図である。
【図１１】第四実施形態に係る軸部材及びロール固定部材を示す図である。
【図１２】従来例に係るロール支持手段の構成を示す図である。
【図１３】従来例に係るロール支持手段をロールシートの一端に装着する状態を説明する図である。
【図１４】従来例に係るロールシートの他端にロール支持手段を装着する状態を説明する図である。
【符号の説明】
１        …画像記録装置本体
２        …扉
２ａ    …破線
３        …側板
４        …ロールシートユニット
４ａ    …破線
５        …Ｕ欠き部
６        …ロールシート
６ａ    …芯管
６ｂ    …記録シート
６ｃ    …シート先端
７        …ロールシート
８、９        …給送ローラ対
１０        …ロール支持手段
１１、１２、１３、１４        …ガイド板
１５        …副走査ローラ
１６        …プラテン
１７        …記録ヘッド
１８        …軸部材
１９        …ブレーキディスク
２０        …軸受
２１、２３        …幅
２１ａ〜２１ｃ、２２ａ〜２２ｃ    …穴部
２４        …ロール固定部材
２５        …切り欠き
２６        …挿入部
２７        …ストッパー部
２８、２９、３１ａ        …凸部
３０、５０ａ、５０ｂ    …挿入溝
３０ａ    …位置
３１、４６        …芯管固定部
３２        …指標突起
３３、４７、５１        …軸固定部材
３４、４８、５２ａ、５２ｂ    …押圧突起
３５        …挿入部
３７        …指標突起
３８        …スリット
３９        …切り欠き
４０        …隙間
４１        …軸中心
４２、４３        …矢印
４４、４５、４９        …ロール固定部材
５３        …軸
【図１】
0003634593.tif 000002
【図２】
0003634593.tif 000003
【図３】
0003634593.tif 000004
【図４】
0003634593.tif 000005
【図５】
0003634593.tif 000006
【図６】
0003634593.tif 000007
【図７】
0003634593.tif 000008
【図８】
0003634593.tif 000009
【図９】
0003634593.tif 000010
【図１０】
0003634593.tif 000011
【図１１】
0003634593.tif 000012
【図１２】
0003634593.tif 000013
【図１３】
0003634593.tif 000014
【図１４】
0003634593.tif 000015